(57)【要約】 【課題】建築物等の内部空間等で仕切ることができる移動可能な移動間仕切を提供することにある。 【解決手段】移動可能であり、床側の長手方向に沿って溝ｇが形成された移動間仕切であって、前記移動間仕切の床側の一の隅側に設置される筐体であるベース１０と、前記ベースに取り付けられ、前記床側に進退自在に移動するスライダー２０と、前記スライダー２０に取り付けられ、前記スライダーの移動に応じて、前記溝ｇに収納される収納状態と、前記移動間仕切と前記床との間を塞ぐ突出状態になるシャッター３０と、前記スライダーに取り付けられ、前記床側に進退自在に移動し、前記床に形成されたツボ受けに差し込むことで、前記移動間仕切を固定する軸４０と、前記スライダーに取り付けられ、使用者の操作によって前記スライダー及び／又は前記軸を操作できるレバー５０とからなることを特徴とする。【選択図】図２
2018178566.tif 000002
【特許請求の範囲】
【請求項１】
移動可能な間仕切であり、床側の長手方向に沿って溝（ｇ）が形成された移動間仕切であって、 
前記間仕切の前記床側の一の隅側に設置される筐体であるベース（１０）と、 
前記ベースに取り付けられ、前記床側に進退自在に移動するスライダー（２０）と、 
前記スライダー（２０）に取り付けられ、前記スライダーの移動に応じて、前記溝（ｇ）に収納される収納状態と、前記間仕切と前記床との間を塞ぐ突出状態になるシャッター（３０）と、
前記スライダーに取り付けられ、前記床側に進退自在に移動し、前記床に形成されたツボ受けに差し込むことで、前記間仕切を固定する軸（４０）と、
前記スライダーに取り付けられ、使用者の操作によって前記スライダー及び／又は前記軸を操作できるレバー（５０）とからなる 
ことを特徴とする移動間仕切。 
【請求項２】
請求項１に記載された移動間仕切であって、 
前記シャッター（３０）は、前記スライダー（２０）に対して揺動可能に取り付けられている 
ことを特徴とする移動間仕切。 
【請求項３】
請求項２に記載された移動間仕切であって、 
前記シャッター（３０）と前記スライダー（２０）とは、シャッターホルダー軸（３８）を差し込むことで取り付けられ、 
前記シャッター（３０）は、前記シャッターホルダー軸（３８）を支点として揺動可能である 
ことを特徴とする移動間仕切。 
【請求項４】
請求項３に記載された移動間仕切であって、 
前記シャッター（３０）は、前記収納状態において、前記シャッターホルダー軸（３８）より前記一の隅側で、前記床側に押圧する付勢部材（６０）によって付勢される
ことを特徴とする移動間仕切。 
【請求項５】
請求項４に記載された移動間仕切であって、 
前記付勢部材（６０）は、前記ベース（１０）に収納され、バネ（６２）で付勢されるプッシャー（６１）である 
ことを特徴とする移動間仕切。 
【請求項６】
請求項１から５のいずれか１項に記載された移動間仕切であって、 
前記ベースと前記スライダーは、スライダー支持軸（２９）を差し込むことで取り付けられている 
ことを特徴とする移動間仕切。 
【請求項７】
請求項１から６のいずれか１項に記載された移動間仕切であって、 
前記軸は、操作状態を伝達するスプリングピン、プランジャ及びその他のクリック手段が取り付けられている 
ことを特徴とする移動間仕切。 
【発明の詳細な説明】
【技術分野】
【０００１】
本発明は、移動間仕切に関する。特に建築物等の内部空間等で仕切ることができる移動可能な移動間仕切に関するものである。 
【背景技術】
【０００２】
オフィス、ホテル、結婚式場、店舗、学校、公共施設及び体育館その他の建築物は、その用途に合わせて間仕切を使用して、内部空間となる部屋を区画することがある。近年において建築物は、その目的にあわせた空間を作り出すために、収納が容易であるとともに、移動することで部屋を仕切る移動間仕切を使用することが多い。このような移動間仕切は、複数用意されて天井等に設けられたレールに沿って走行し、所定の位置に配置されて内部空間を仕切ることができる。
【０００３】
移動間仕切は、床との間の隙間を防ぎ、外部からの隙間風、埃、音、光及び熱などを遮断するためのシャッター部材が取り付けられることがある。シャッター部材は、移動間仕切の床側の内部に取り付けられ、使用者の操作によって出し入れ自在に取り付けられる。例えば、シャッター部材は、移動間仕切を移動するときはその内部に収納され、移動間仕切を所定の位置に配置したときにその内部から出して、床との間の隙間を塞ぐ。移動間仕切は、移動中はシャッター部材が収納されているため、床にぶつかることなく滑らかに移動することができる。このように、移動間仕切には様々な提案がなされているが、特許文献を基に従来の技術を説明する。
【０００４】
例えば、間仕切りパネルの移動と、開閉ドアの開閉とが、パネル用接床部材若しくはドア用接床部材によって阻害されることのない可動間仕切り壁の技術が知られている（特許文献１参照）。また、板バネの塑性変形を起こさずに隙間封止を確実に行うことができる、信頼性のより高い、新しい可動間仕切り用接床部材およびその接床部材の技術が知られている（特許文献２参照）。さらに、子旋回ドアにあって、フランス落し器具とシール装置を併設した折にも、両装置本来の効果を発揮し、特にシール装置にあって、子旋回ドアの下端縁全長に亘るシール効果を発揮しうるフランス落し付きドアシール装置の技術が知られている（特許文献３参照）。
【先行技術文献】
【特許文献】
【０００５】
【特許文献１】特開２００２−２９４９０８号公報
【特許文献２】特開２００３−３７６５号公報
【特許文献３】特開平１１−１１７６４０号公報
【発明の概要】
【発明が解決しようとする課題】
【０００６】
特許文献１に記載された可動間仕切り壁に設置されたパネル用接床部材は、内部構造が複雑であり重量が重いため、使用し続けることで、パネル用接床部材が可動間仕切り壁から落ちやすくなるという問題点があった。特許文献２に記載された可動間仕切りも接床部材（タイトナー）も内部構造が複雑であり重量が重いため、使用し続けることで、接床部材が可動間仕切りから落ちやすくなるという問題点があった。特許文献３に記載されたフランス落し器具は、フランス落し器具とシール装置とは別々に構成されているため、ドアを床に固定する操作とシール効果を発揮させる操作は別々に行わなければならない上に、構成部品が多く製造工程が多く、製造コストが増大するという問題点があった。
【０００７】
本発明は、以上のような従来の問題点を解決するために創作されたもので、次の目的を達成する。本発明の目的は、同じ位置で、隙間を塞ぐシャッターの操作と、ツボ受けに差し込む軸の操作ができる移動間仕切に関するものである。また、本発明の他の目的は、シャッターが重みで落ちない移動間仕切に関するものである。
【課題を解決するための手段】
【０００８】
本発明は、前記目的を達成するために次の手段をとる。 
本発明１の移動間仕切は、移動可能であり、床側の長手方向に沿って溝が形成された移動間仕切であって、前記移動間仕切の床側の一の隅側に設置される筐体であるベースと、前記ベースに取り付けられ、前記床側に進退自在に移動するスライダーと、前記スライダーに取り付けられ、前記スライダーの移動に応じて、前記溝に収納される収納状態と、前記移動間仕切と前記床との間を塞ぐ突出状態になるシャッターと、前記スライダーに取り付けられ、前記床側に進退自在に移動し、前記床に形成されたツボ受けに差し込むことで、前記移動間仕切を固定する軸と、前記スライダーに取り付けられ、使用者の操作によって前記スライダー及び／又は前記軸を操作できるレバーとからなることを特徴とする。
【０００９】
本発明２の移動間仕切は、本発明１において、前記シャッターは、前記スライダーに対して揺動可能に取り付けられていることを特徴とする。
【００１０】
本発明３の移動間仕切は、本発明２において、前記シャッターと前記スライダーとは、シャッターホルダー軸を差し込むことで取り付けられ、前記シャッターは、前記シャッターホルダー軸を支点として揺動可能であることを特徴とする。
【００１１】
本発明４の移動間仕切は、本発明３において、前記シャッターは、前記収納状態において、前記シャッターホルダー軸より前記一の隅側で、前記床側に押圧する付勢部材によって付勢されることを特徴とする。
【００１２】
本発明５の移動間仕切は、本発明４において、前記付勢部材は、前記ベースに収納され、バネで付勢されるプッシャーであることを特徴とする。
【００１３】
本発明６の移動間仕切は、本発明１から５のいずれかにおいて、前記ベースと前記スライダーは、スライダー支持軸を差し込むことで取り付けられていることを特徴とする。
【００１４】
本発明７の移動間仕切は、本発明１から６のいずれかにおいて、前記軸は、操作状態を伝達するスプリングピン、プランジャ及びその他のクリック手段が取り付けられていることを特徴とする。
【発明の効果】
【００１５】
本発明の移動間仕切は、同じ位置で隙間を埋めるシャッターの操作と、ツボ受けに差し込む軸の操作ができる。また、本発明の移動間仕切は、シャッターが重みで落ちない。
【図面の簡単な説明】
【００１６】
【図１】図１は、本発明の実施の形態を適用した移動間仕切１の断面図及び透過図である。
【図２】図２は、移動間仕切１を構成する部品を分解した状態を示した外観図である。
【図３】図３は、ベース１０を示す図である。
【図４】図４は、スライダー２０を示す図である。
【図５】図５は、シャッター３０を示す図である。
【図６】図６は、軸４０、軸ホルダー４３及びレバー５０を示す図である。
【図７】図７は、付勢部材６０を示す拡大図である。
【図８】図８は、移動間仕切１のシャッター３０及び軸４０を突出させた状態を示す図である。
【図９】図９は、移動間仕切１のシャッター３０は収納したままで、軸４０を突出させた状態を示す図である。
【図１０】図１０は、移動間仕切１のシャッター３０及び軸４０を収納した状態を示す図である。
【発明を実施するための形態】
【００１７】
〔本発明の実施の形態〕 
以下、本発明の移動間仕切１について、図面に基づいて、本発明の実施の形態として詳細に説明する。図１は、本発明の実施の形態を適用した移動間仕切１を示す図であり、図１（ａ）は、移動間仕切１の断面図であり、図２（ｂ）は、移動間仕切１の透過図である。図２は、移動間仕切１を構成する部品を分解した状態を示した外観図である。図３は、ベース１０を示す図であり、図３（ａ）はベース１０の正面図であり、図３（ｂ）は図３（ａ）をα−αで切断した状態を示す断面図である。図４は、スライダー２０を示す図であり、図４（ａ）はスライダー２０の正面図であり、図４（ｂ）は図４（ａ）をβ−βで切断した状態を示す断面図である。 
【００１８】
図５は、シャッター３０を示す図であり、図５（ａ）はシャッターホルダー３２、シャッター本体３１及びシャッターキャップ３３の正面図であり、図５（ｂ）は図５（ａ）をγ−γで切断した状態を示す断面図である。図６は、軸４０、軸ホルダー４３及びレバー５０を示す図であり、図６（ａ）は軸４０、軸ホルダー４３及びレバー５０の正面図であり、図６（ｂ）は図６（ａ）をδ−δで切断した状態を示す断面図である。図７は、付勢部材６０を示す拡大図であり、図７（ａ）は付勢部材６０の拡大された正面図であり、図７（ｂ）は図７（ａ）をε−εで切断した状態を示す拡大された断面図である。 
【００１９】
図２に示すように、矢印Ｆ方向を前方向とし、その逆方向である矢印Ｂ方向を後方向として説明を行う。水平面内で前後方向と直交する一の方向である矢印Ｌ方向を左方向とし、直交する他の方向である矢印Ｒ方向を右方向として説明を行う。前後方向及び左右方向と直交する上側の方向である矢印Ｕ方向を上方向とし、下側の方向である矢印Ｄ方向を下方向として説明を行う。上方向側の面、下方向側の面、前方向側の面、後方向側の面、左方向側の面及び右方向側の面をそれぞれ平面、底面、正面、背面、左側面、右側面として説明を行う。
【００２０】
〔移動間仕切１〕 
図１（ａ）及び図１（ｂ）に示すように、実施の形態の移動間仕切１は、移動することで建築物の内部空間を区画するものである。移動間仕切１は、ベース１０、スライダー２０、シャッター３０、軸４０、レバー５０及び付勢部材６０とから構成され、取付ネジｓ１及び取付ネジｓ２で間仕切ｐに取り付けられている。間仕切ｐは、略長方形形状の平板であり、床側の長手方向に沿って溝ｍが形成されている。溝ｍは、間仕切ｐの底面の前方向から後方向に向かって伸びるように形成されている。間仕切ｐの一の隅には、略直方体形状に区画された格納部ｈが形成されている。格納部ｈは、間仕切ｐの正面の下方向側端部と底面の前方向側端部を切り欠いて形成されている。移動間仕切１の格納部ｈには、ベース１０が取り付けられている。
【００２１】
〔ベース１０〕 
ベース１０は、スライダー２０の一部を収納するとともに、スライダー２０の移動を規制するための筐体である。図２及び図３に示すように、ベース１０は、本体部１１及び突出部１２が一体に形成されている。本体部１１は、上方向側が円弧状に形成された縦長の略長方形形状の筐体である。突出部１２は、図３（ｂ）に示すように、本体部１１の背面から後方向に突出するように形成された板状の部材である。突出部１２には、上方向から下方向にかけて貫通するように形成され、間仕切ｐに固定するための取付ネジｓ２を挿通させる貫通孔１２ｈが形成されている。
【００２２】
図３（ｂ）に示すように、本体部１１の内側には、スライダー移動部１３及び貫通孔１０ｈが形成されている。スライダー移動部１３は、本体部１１の内部に配置されるスライダー２０が移動できる空間である。スライダー移動部１３は、本体部１１の内部において、縦長の略直方体形状に区画されている。スライダー移動部１３は、本体部１１の正面び本体部１１の底面を切り欠くように形成されている。
【００２３】
スライダー移動部１３は、本体部１１の正面が切り欠かれているため、スライダー２０が取り付けらたとき、レバー５０の操作ができる。また、スライダー移動部１３は、本体部１１の正面が切り欠かれているため、レバー５０と共にスライダー２０の操作ができる。スライダー移動部１３は、本体部１１の底面が切り欠かれているため、本体部１１の内部に配置されたスライダー２０をベース１０から進退自在に移動することができる。
【００２４】
図２及び図３（ｂ）に示すように、本体部１１には、一対の縦溝部１４及び掛止部１５が形成されている。縦溝部１４は、本体部１１の内部に配置されるスライダー２０の移動する範囲を規制するために、スライダー支持軸２９が移動できる溝である。図３（ｂ）に示すように、縦溝部１４は、本体部１１の左側面の上方向側において、所定の範囲を切り欠いて縦長に形成された縦溝である。縦溝部１４は、スライダー２０の移動範囲にあわせて縦長に切り欠かれ、その幅寸法はスライダー支持軸２９の直径と同一又はやや大きくなるように形成されている。
【００２５】
図３（ｂ）に示すように、掛止部１５は、縦溝部１４の上方向側端部から前方向に向かって突出するように切り欠いて形成された溝である。掛止部１５は、本体部１１の内部に配置されるスライダー２０を所定の位置に固定するために、スライダー支持軸２９を引っかけることができる溝である。縦溝部１４及び掛止部１５は、本体部１１の右側面にも同様に形成されており、一対の縦溝部１４及び掛止部１５は、対向するように形成されている。
【００２６】
図３（ｂ）に示すように、貫通孔１０ｈは、本体部１１の前方向から後方向にかけて貫通するように、上方向側に形成されている。貫通孔１０ｈは、間仕切ｐに固定するための取付ネジｓ１を挿通させることができる。貫通孔１０ｈは、その前方向側に取付ネジｓ１のネジ頭を埋めるための皿取りが形成されている。本体部１１の背面には、挿通路１６が形成されている。挿通路１６は、本体部１１の背面を貫通するように形成された孔である。挿通路１６は、スライダー２０に取り付けるバネ２９ｂとイモネジ２９ｓを挿通するための孔である。
【００２７】
図３（ａ）及び（ｂ）に示すように、本体部１１には、略直方体形状に区画された付勢部材収納部１７が形成されている。付勢部材収納部１７は、本体部１１の内部に配置される付勢部材６０のプッシャー６１の移動する範囲を規制する空間である。付勢部材収納部１７は、本体部１１の背面の下方向側を切り欠いて形成されている。付勢部材収納部１７の幅寸法は、プッシャー６１の本体部６２の幅寸法と同一又はやや大きくなるように形成されている。
【００２８】
図３（ａ）及び（ｂ）に示すように、付勢部材収納部１７の下方向側には、本体部１１の底面を切り欠いた幅狭部１８が形成されている。幅狭部１８は、プッシャー６１の突出部６３を進退自在に出し入れするための開口である。幅狭部１８の幅寸法は、付勢部材収納部１７の幅寸法より小さくなるように形成されており、突出部６３の幅寸法と同一又はやや大きくなるように形成されている。
【００２９】
〔スライダー２０〕 
スライダー２０は、軸４０及びレバー５０を収納するとともに、シャッター３０の移動を規制するための筐体である。スライダー２０は、図４（ａ）に示すように、正面から観察すると直方体形状であり、図４（ｂ）に示すように、断面から観察すると略Ｌ字形状に形成されている。図２及び図４に示すように、スライダー２０は、頭部２１及び脚部２２が一体に形成されている。頭部２１は、図２及び図４（ａ）に示すように、縦長の略長方形形状の筐体である。
【００３０】
図４（ｂ）に示すように、頭部２１の内側には、穴２１ａ、軸受け孔２１ｂ、第一区画部２３及び第二区画部２４が形成されている。図４（ｂ）に示すように、穴２１ａは、頭部２１の背面から正面に向かって開けられており、頭部２１の上方向側に形成されている。穴２１ａは、バネ２９ｂ及びイモネジ２９ｓを収納するための空間である。図２及び図４（ｂ）に示すように、軸受け孔２１ｂは、頭部２１の左側面及び右側面にかけて貫通するように、頭部２１の上方向側に形成されている。軸受け孔２１ｂは、スライダー支持軸２９を挿通するための貫通孔である。穴２１ａと軸受け孔２１ｂとは、頭部２１の上方向側において、交わるように形成されている。
【００３１】
第一区画部２３は、頭部２１の内部に配置されるレバー５０の移動する範囲を規制する空間である。第一区画部２３は、頭部２１の内部の前方向側において、左側面と右側面に沿うような縦長の略直方体形状に区画されている。第一区画部２３は、レバー５０の操作ができるように、頭部２１の正面を切り欠くように形成されている。第一区画部２３の下方向側は、脚部２２に形成された、レバー支持部２６につながるように形成されている。
【００３２】
第二区画部２４は、頭部２１の内部に配置される軸４０に取り付けられる軸ホルダー４３の移動する範囲を規制する空間である。第二区画部２４は、頭部２１の内部の後方向側において、左側面と右側面に沿うような縦長の略直方体形状に区画されている。第二区画部２４は、レバー５０に軸ホルダー４３を取り付けるための取付ネジ４３ｓを挿通できるように、頭部２１の背面を切り欠くように形成されている。第二区画部２４の下方向側は、脚部２２に形成された、軸挿通部２７につながるように形成されている。
【００３３】
収納伝達凹部２４ａは、レバー５０で軸ホルダー４３を移動させたときに、移動させた手応えとなるクリック感やラック感を与えるためのクリック手段である。収納伝達凹部２４ａは、図４（ｂ）に示すように、頭部２１の上方向側で頭部の左側面に形成された貫通孔である。突出伝達凹部２４ｂは、レバー５０で軸ホルダー４３を移動させたときに、移動させた手応えとなるクリック感やラック感を与えるためのクリック手段である。突出伝達凹部２４ｂは、図４（ｂ）に示すように、頭部２１の下方向側で頭部の左側面に形成された貫通孔である。
【００３４】
図４（ａ）及び（ｂ）に示すように、第一区画部２３と第二区画部２４とは、縦長の略長方形形状の隔離板２５によって区画されている。隔離板２５には、隔離板２５の上方向側から下方向側にかけて貫通するように形成された縦長の長方形形状の溝であるスライド部２５ｈが形成されている。スライド部２５ｈは、レバー５０の挿入片５２がスライド移動できるように、挿入片５２の幅寸法と略同一の幅寸法に形成されている。
【００３５】
脚部２２は、図２及び図４（ａ）に示すように、横長の略長方形形状の筐体である。図４（ｂ）に示すように、脚部２２の内側には、レバー支持部２６、軸挿通部２７、シャッター支持部２８が形成されている。レバー支持部２６は、第一区画部２３に配置されるレバー５０を支持するために挿入片５２を差し込むことができる空間である。図４（ｂ）に示すように、レバー支持部２６は、脚部２２の内部の前方向側において、左側面と右側面に沿うような縦長の略直方体形状に区画されている。レバー支持部２６の内形寸法は、挿入片５２を差し込むことができるように、挿入片５２の外形寸法と同一又はやや大きくなるように形成されている。レバー支持部２６の上方向側は、頭部２１に形成された、第一区画部２３につながるように形成されている。
【００３６】
軸挿通部２７は、第二区画部２４に配置される軸ホルダー４３が取り付けられた軸４０を進退自在に移動するための空間である。図４（ｂ）に示すように、軸挿通部２７は、レバー支持部２６の後方向側において、左側面と右側面に沿うような縦長の略直方体形状に区画されている。軸挿通部２７の内形寸法は、軸４０を差し込むことができるように、軸４０の外形寸法と同一又はやや大きくなるように形成されている。軸挿通部２７の上方向側は、頭部２１に形成された、第二区画部２４につながるように形成されている。
【００３７】
シャッター支持部２８は、シャッター３０のシャッターホルダー３２を支持するための部材である。図２に示すように、シャッター支持部２８は、脚部２２の後方向側において、シャッターホルダー３２が載置できるように、左側面、右側面及び底面に配置される平板から形成され、正面及び背面が切り欠かれた略コ字形状に形成されている。支持軸受け孔２２ａは、シャッターホルダー軸３８を挿通するための貫通孔である。図２及び図４（ｂ）に示すように、支持軸受け孔２２ａは、シャッター支持部２８の左側面及び右側面にかけて、その中心が同一軸線上に位置するように形成されている貫通孔である。
【００３８】
支持軸受け孔２２ａは、シャッター支持部２８の左側面及び右側面の上方向側の後方向側に形成されている。支持軸受け孔２２ａは、シャッターホルダー３２をシャッター支持部２８に載置したときに、貫通孔３６と同一軸線上に配置されるように形成されている。挿通路２２ｂは、シャッター支持部２８の底面を貫通するように形成された孔である。挿通路２２ｂは、ベース１０を間仕切ｐに取り付ける取付ネジｓ２を挿通するための孔である。
【００３９】
スライダー支持軸２９は、スライダー２０をベース１０に取り付けるための軸である。スライダー支持軸２９は、スライダー２０とスライダー２０に組み込まれるシャッター３０、軸４０及びレバー５０その他の部品を、ベース１０に吊り下げて取り付ける。スライダー支持軸２９は、スライダー２０の幅寸法より長くなるように形成され、ベース１０の幅寸法と同一又は略同一になるように形成されている。
【００４０】
〔シャッター３０〕 
シャッター３０は、移動間仕切１と床との間の隙間を受けるための部材である。シャッター３０は、図２及び図５に示すように、シャッター本体３１、シャッターホルダー３２及びシャッターキャップ３３とから構成されている。シャッター本体３１は、前方向から後方向にかけて伸びるように形成された中空の略直方体形状に形成されている。シャッター本体３１は、底面が前方向から後方向にかけて切り欠くように形成され、その左側面及び右側面の内側に二本ずつリブ３４が形成されている。シャッター本体３１は、平面の前方向側に上方向から下方向にかけて貫通するように形成され、シャッターホルダー３２に固定するための取付ネジ３２ｓを挿通させる貫通孔３１ｈが二つ形成されている。
【００４１】
シャッターホルダー３２は、スライダー２０とシャッター本体３１とをつなぎあわせる部材である。シャッターホルダー３２は、前方向から後方向にかけて伸びるように形成された略直方体形状に形成されている。鍔部３５は、シャッター本体３１を差し込む位置を規制するための部位であり、外形がシャッターホルダー３２の外形寸法よりも大きくなるように形成されている。シャッターホルダー３２は、鍔部３５の前方向側がスライダー２０のシャッター支持部２８に載置される部分であり、鍔部３５の後方向側がシャッター本体３１に嵌め込む部分である。
【００４２】
シャッターホルダー３２は、その前方向側に貫通孔３６及び挿通路３７が形成されている。貫通孔３６は、シャッターホルダー軸３８を挿通するための貫通孔である。図２及び図５（ｂ）に示すように、貫通孔３６は、シャッターホルダー３２の左側面から右側面にかけて形成されている貫通孔である。貫通孔３６は、シャッターホルダー３２をシャッター支持部２８に載置したときに、支持軸受け孔２２ａと同一軸線上に配置されるように形成されている。挿通路３７は、シャッターホルダー３２の底面から平面を貫通するように形成された孔である。挿通路３７は、ベース１０を間仕切ｐに取り付ける取付ネジｓ２を挿通するための孔である。
【００４３】
シャッターホルダー３２は、その後方向側にネジ穴３２ｈが二つ形成されている。ネジ穴３２ｈは、レバー５０の平面から底面に向かうように形成されたネジ穴であり、シャッターホルダー３２にシャッター本体３１を取り付けるための取付ネジ３２ｓを締結できる。ネジ穴３２ｈは、シャッターホルダー３２の後方向側がシャッター本体３１に嵌め込まれたときに、貫通孔３１ｈと同一軸線上に配置されるように形成されている。シャッターキャップ３３は、シャッター本体３１の後方向側端部に嵌め込んで開口を塞ぐための蓋である。
【００４４】
シャッターホルダー軸３８は、シャッター３０をスライダー２０に取り付けるための軸であり、シャッター３０を揺動するための支点となる軸である。シャッターホルダー軸３８は、シャッター３０を構成するシャッター本体３１、シャッターホルダー３２及びシャッターキャップ３３を、スライダー２０に吊り下げて取り付ける。シャッターホルダー軸３８は、シャッターホルダー３２幅寸法より長くなるように形成され、スライダー２０の幅寸法と同一又は略同一になるように形成されている。
【００４５】
〔軸４０〕 
軸４０は、床に形成されたツボ受けに差し込んで、移動間仕切１を所定の位置に固定する部材である。図２及び図６に示すように、軸４０は、差込部４１と係合雄部４２とから構成されている。差込部４１は、ツボ受けに差し込むための部位であり、外径がツボ受けの内径寸法と同一又は略同一になるように円筒形状に形成されている。係合雄部４２は、軸ホルダー４３の係合雌部４４に嵌め込まれる部位であり、正面及び背面が平らに切り欠かれた略円筒形状に形成されている。係合雄部４２の外形は、係合雌部４４の内形と同一又は略同一になるように形成されている。係合雄部４２には、平面の前方向側に前方向から後方向にかけて貫通するように形成され、軸ホルダー４３に固定するための取付ネジ４３ｓを挿通させる貫通孔４２ｈが二つ形成されている。
【００４６】
軸ホルダー４３は、取り付けられた軸４０とともに、使用者のレバー５０の操作によって第一位置（第二区画部２４の上方向側の位置）と第二位置（第二区画部２４の下方向側の位置）に移動できる部材である。軸ホルダー４３は、スライダー２０の第二区画部２４の幅寸法と略同一の幅寸法の略直方体形状に形成されている。軸ホルダー４３には、図６（ｂ）に示すように、貫通孔４３ｈ、係合雌部４４及び挿入穴４５が形成されている。軸ホルダー４３には、背面から正面にかけて貫通するように貫通孔４３ｈが二つ形成されている。
【００４７】
係合雌部４４は、図６（ｂ）に示すように、軸ホルダー４３の底面から平面に向かって開けられており、貫通孔４３ｈは、係合雌部４４に係合雄部４２を嵌め込んだときに、貫通孔４２ｈと同一軸線上に配置されるように形成されている。貫通孔４３ｈは、軸ホルダー４３に軸４０とレバー５０を固定するための小ネジ７０が挿通できる。挿入穴４５は、軸ホルダー４３の左側面から右側面に向かって開けられた穴であり、プランジャ４６を嵌め込むことができる。プランジャ４６は、レバー５０で軸ホルダー４３を移動させたときにクリック感やラック感を与えて操作状態を伝達するための部材である。
【００４８】
〔レバー５０〕 
レバー５０は、使用者が操作することで、軸ホルダー４３を第一位置と第二位置に切り替えて、軸４０を出し入れするための部材である。図２及び図６に示すように、レバー５０は、縦長の略長方形形状の部品である。レバー５０には、開口５１、挿入片５２、突出部５３及びネジ穴５３ｈが形成されている。開口５１は、使用者がレバー５０を操作するときに摘まむことができるように、略直方体形状に区画された空間である。挿入片５２は、スライダー２０のレバー支持部２６に差し込むことができる板状の部材である。挿入片５２の外形寸法は、レバー支持部２６に差し込むことができるように、レバー支持部２６の内形寸法と同一又はやや小さくなるように形成されている。
【００４９】
図６（ｂ）に示すように、レバー５０の背面には、後方向側に突出するように突出部５３が形成されている。突出部５３は、略直方体形状に形成されており、スライダー２０のスライド部２５ｈでスライド移動できるように、スライド部２５ｈの幅寸法と略同一の幅寸法に形成されている。ネジ穴５３ｈは、レバー５０の背面から前方向に向かうように形成されたネジ穴であり、レバー５０に軸４０と軸ホルダー４３を取り付けるための取付ネジ４３ｓを締結できる。
【００５０】
〔付勢部材６０〕 
付勢部材６０は、溝ｍに収納されたシャッター３０の一方の側（前方向側）を付勢する部材である。図２及び図７に示すように、付勢部材６０は、プッシャー６１とバネ６４とから構成されている。プッシャー６１は、図７（ａ）に示すように、正面から観察すると略Ｔ字形状に形成され、図７（ｂ）に示すように、断面から観察すると下方向側が円弧状に形成された縦長の略長方形形状に形成されている。図２及び図７に示すように、プッシャー６１は、本体部６２及び突出部６３が一体に形成されている。
【００５１】
本体部６２は、図７（ａ）に示すように、横長の略長方形形状に形成され、図７（ｂ）に示すように、平面から底面に向かってバネ６４を差し込むための穴６２ｈが二つ形成されている。本体部６２の幅寸法は、付勢部材収納部１７の幅寸法と同一又はやや小さくなるように形成されている。突出部６３、図７（ａ）に示すように、縦長の略長方形形状に形成されている。突出部６３の幅寸法は、本体部６２の幅寸法より小さくなるように形成されており、幅狭部１８の幅寸法と同一又はやや小さくなるように形成されている。
【００５２】
〔移動間仕切１の組み立て〕 
次に、ベース１０、スレイダー２０、シャッター３０、軸４０、レバー５０及び付勢部材６０を組み立てて、取付ネジｓ１及び取付ネジｓ２で間仕切ｐに取り付けて組み立てる仕切部材ガイド装置１について説明をする。図１（ａ）及び（ｂ）に示すように、シャッター３０は、シャッター本体部３１の前方向側にシャッタホルダー３２を嵌め込み、シャッター本体部３１の後方向側にシャッタキャップ３３を嵌め込むことで組み立てられる。シャッター本体３１とシャッターホルダー３２とは、シャッター本体３１の貫通孔３１ｈとシャッターホルダー３２のネジ穴３２と同一軸線上にあわせて、取付ネジ３２ｓを貫通孔３１ｈへ通し、ネジ穴３２ｈに締結することで固定される。
【００５３】
図１（ａ）及び（ｂ）に示すように、シャッター３０は、シャッターホルダー３２をスライダー２０のシャッター支持部２８に載置する。シャッター支持部２８とシャッターホルダー３２とは、支持軸受け孔２２ａと貫通孔３６とを同一軸線上にあわせて、シャッターホルダー軸３８を貫通孔３６と支持軸受け孔２２ａへ挿通することで取り付けられる。シャッター３０は、シャッターホルダー軸３８を支点としてスライダー２０に対して揺動可能になる。
【００５４】
図１（ａ）及び（ｂ）に示すように、スライダー２０の第一区画部２３にレバー５０を嵌め込み、スライダー２０の第二区画部２４に軸ホルダー４３を嵌め込む。このとき、軸ホルダー４３の係合雌部４４には、軸挿通部２７を介して軸４０の係合雄部４２を嵌め込む。軸ホルダー４３の挿入穴４５には、プランジャ４６を嵌め込む。レバー５０の突出部５３は、スライダー２０のスライド部２５ｈに嵌め込む。軸ホルダー４３の貫通孔４３ｈ、軸４０の貫通孔４２ｈ、及びレバー５０のネジ穴５３とを同一軸線上にあわせる。この状態で、取付ネジ４３を貫通孔４３ｈ、貫通孔４２ｈへ通し、ネジ穴５３ｈに締結する。
【００５５】
これにより、軸ホルダー４３とレバー５０が、スライダー２０の隔離板２５を介して固定され、スライド部２５ｈの範囲内で上下方向に移動できるようになる。使用者がレバー５０を操作して軸ホルダー４３を第一位置に移動させたとき、軸４０がスライダー２０に収納され、プランジャ４６がスライダー２０の収納伝達部２４ａに嵌まり、クリック感やラック感が得られる。また、使用者がレバー５０を操作して軸ホルダー４３を第二位置に移動させたとき、軸４０がスライダー２０から突出して、プランジャ４６がスライダー２０の突出伝達部２４ｂに嵌まり、クリック感やラック感が得られる。
【００５６】
図１及び図３に示すように、ベース１０の付勢部材格納部１７には、付勢部材６０が嵌め込まれる。付勢部材６０は、突出部６３が幅狭部１８から進退自在であり、シャッター３０が溝ｍに収納されたときに、シャッター３０を付勢するようにバネ６４が配置される。ベース１０のスライダー移動部１３にスライダー２０を嵌め込む。ベース１０とスライダー２０とは、掛止部１５と軸受け孔２１ｂとを同一軸線上にあわせて、スライダー支持軸２９を掛止部１５と軸受け孔２１ｂへ挿通することで取り付けられる。
【００５７】
これにより、スライダー支持軸２９は、スライダー２０とスライダー２０に組み込まれるシャッター３０、軸４０及びレバー５０その他の部品を、ベース１０に吊り下げて取り付ける。スライダー２０の穴２１ａにバネ２９ｂ挿通してイモネジ２９ｓで塞ぐことで軸受け孔２１ｂに挿通されたスライダー支持軸２９が前方向側に付勢される。
【００５８】
〔移動間仕切１の使用方法〕 
次に、移動間仕切１の使用方法について図８、図９及び図１０に基づいて説明する。図８は、移動間仕切１のシャッター３０及び軸４０を突出させた状態を示す図である。図９は、移動間仕切１のシャッター３０は収納したままで、軸４０を突出させた状態を示す図である。図１０は、移動間仕切１のシャッター３０及び軸４０を収納した状態を示す図である。
【００５９】
図８に示すように、移動間仕切１は、所定の位置に配置され内部空間を仕切る場合には、シャッター３０及び軸４０を床側に突出させた状態にする。つまり、シャッター３０を床側に突出させることで、移動間仕切１と床との間の隙間を塞ぐとともに、軸４０をツボ受けに差し込むことで、移動間仕切１を床に固定することができる。このとき、付勢部材６０は、シャッター３０の一方の側を付勢することなく付勢状態が解除されている。また、スライダー支持軸２９は、縦溝部１４の下方向側でバネ２９ｂに前方向側に付勢されている（矢印ａ参照）。
【００６０】
図８に示す状態のときに、レバー５０を上に引き上げると、図９に示すように、スライダー２０が上方向に移動して、シャッター３０を溝ｍに収納することができる。シャッター３０は、シャッターホルダー軸３８を支点として揺動自在である。このため、シャッター３０は、後方向側がその重みで下方向側に落ちようとする（矢印ｂ参照）。しかし、シャッター３０が溝ｍに収納されることで、付勢部材６０がシャッター３０の前方向側を付勢する。
【００６１】
つまり、シャッター３０は、前方向側が付勢部材６０であるプッシャー６１で下方向側に押圧される（矢印ｃ参照）。このため、シャッター３０は、後方向側がその重みで下方向側に落ちることがない。また、スライダー支持軸２９は、縦溝部１４の上方向側の端部でバネ２９ｂに前方向側に付勢されている（矢印ａ参照）。このため、スライダー支持軸２９は、掛止部１５に引っかかるため、スライダー２０は、ベース１０にしっかりと吊された状態になる。図９に示す状態のときに、レバー５０をさらに上に引き上げると、図１０に示すように、軸ホルダー４３が上方向に移動して、軸４０がスライダー２０に収納される。このように、本発明の移動間仕切１は、レバー５０の操作だけでシャッター３０と軸４０を上げ下げする操作ができる。
【００６２】
本例において、レバー５０で軸ホルダー４３を移動させたときのクリック感は、プランジャ４６でだしているが、バネ付勢を利用した平行ピン等でも良い。本例において、付勢部材６０は、バネ６４を利用した付勢力で説明しているが、付勢できるものであれば他の部材でも良い。本例において、一枚の移動間仕切１で説明をしているが、一又は複数の他の仕切部材であっても良いことはいうまでもない。例えば、引戸、連動式引戸、スライディングウォール、パーティション及びその他の仕切部材であっても良い。以上、本発明の種々の実施の形態を説明したが、本発明は、この実施の形態に限定されることはない。本発明の目的、趣旨を逸脱しない範囲内での変更が可能なことはいうまでもない。
【符号の説明】
【００６３】
１      ：移動間仕切 
１０    ：ベース 
１０ｈ  ：貫通孔 
１１    ：本体部 
１２    ：突出部 
１２ｈ  ：貫通孔 
１３    ：スライダー移動部 
１４    ：縦溝部 
１５    ：掛止部 
１5    ：掛止部 
１６    ：挿通路 
１７    ：付勢部材収納部 
１８    ：幅狭部 
２０    ：スライダー 
２１    ：頭部 
２１ａ  ：穴 
２１ｂ  ：軸受け孔 
２２    ：脚部 
２２ａ  ：支持軸受け孔 
２２ｂ  ：挿通路 
２３    ：第一区画部 
２４    ：第二区画部 
２４ａ  ：収納伝達凹部 
２４ｂ  ：突出伝達凹部 
２５    ：隔離板 
２５ｈ  ：スライド部 
２６    ：レバー支持部 
２７    ：軸挿通部 
２８    ：シャッター支持部 
２９    ：スライダー支持軸 
２９ｂ  ：バネ 
２９ｓ  ：イモネジ 
３０    ：シャッター 
３１    ：シャッター本体 
３１ｈ  ：貫通孔 
３２    ：シャッターホルダー 
３２ｈ  ：ネジ穴 
３２ｓ  ：取付ネジ 
３３    ：シャッターキャップ 
３４    ：リブ 
３５    ：鍔部 
３６    ：貫通孔 
３７    ：挿通路 
３８    ：シャッターホルダー軸 
４０    ：軸 
４１    ：差込部 
４２    ：係合雄部 
４２ｈ  ：貫通孔 
４３    ：軸ホルダー 
４３ｈ  ：貫通孔 
４３ｓ  ：取付ネジ 
４４    ：係合雌部 
４５    ：挿入穴 
４６    ：プランジャ 
５０    ：レバー 
５１    ：開口 
５２    ：挿入片 
５３    ：突出部 
５３ｈ  ：ネジ穴 
６０    ：付勢部材 
６１    ：プッシャー 
６２    ：本体部 
６２ｈ  ：穴 
６３    ：突出部 
６４    ：バネ 
７０    ：小ネジ 
ｈ      ：格納部 
ｍ      ：溝 
ｐ      ：間仕切 
ｓ１    ：取付ネジ 
ｓ２    ：取付ネジ 
【図１】
2018178566.tif 000003
【図２】
2018178566.tif 000004
【図３】
2018178566.tif 000005
【図４】
2018178566.tif 000006
【図５】
2018178566.tif 000007
【図６】
2018178566.tif 000008
【図７】
2018178566.tif 000009
【図８】
2018178566.tif 000010
【図９】
2018178566.tif 000011
【図１０】
2018178566.tif 000012